(57)【特許請求の範囲】
【請求項１】
ネットワーク側により送信された指示情報を受信するステップであって、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する前記受信ステップと、
ＭＴＣ ＵＥのＣＥ ＬＥＶＥＬ及びネットワーク側により指示された少なくとも１つのＣＥ ＬＥＶＥＬから、１つのＣＥ ＬＥＶＥＬを選択し、前記ＣＥ ＬＥＶＥＬに対応するＰＲＡＣＨリソースを確定するステップと、
選択されたＣＥ ＬＥＶＥＬに対応するＰＲＡＣＨリソースにおいて、ランダムアクセスを行うステップとを備え、
前記指示情報は、１つのＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する場合、
ネットワーク側により指示された少なくとも１つのＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択し、
前記ＭＴＣ ＵＥのＣＥ ＬＥＶＥＬにより、ネットワーク側により指示された前記ＣＥ ＬＥＶＥＬに対応するＰＲＡＣＨリソースを選択し、
ネットワーク側により指示された１つのＣＥ ＬＥＶＥＬが前記ＭＴＣ ＵＥのＣＥ ＬＥＶＥＬではない場合、ネットワーク側により指示されたＣＥ ＬＥＶＥＬを選択し、
選択されたＣＥ ＬＥＶＥＬにより、ネットワーク側により指示された前記ＣＥ ＬＥＶＥＬに対応するＰＲＡＣＨリソースを確定することを特徴とするマシン型通信ＵＥ（ＭＴＣ ＵＥ）のランダムアクセス方法。
【請求項２】
前記指示情報は、ＣＥ ＬＥＶＥＬ及びそれに対応するＰＲＡＣＨリソースそれぞれを指示することを特徴とする請求項１に記載のマシン型通信ＵＥ（ＭＴＣ ＵＥ）のランダムアクセス方法。
【請求項３】
選択されたＣＥ ＬＥＶＥＬに対応するＰＲＡＣＨリソースにおいて、ランダムアクセスが失敗する場合、
カバレッジ利得が１レベル高いＣＥ ＬＥＶＥＬに自ら遷移するステップと、
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソ
ースにおいて非競合ランダムアクセスを開始させ、さもなければ、競合ランダムアクセスリソース選択メカニズムにより、ＰＲＡＣＨリソースを選択して、競合ランダムアクセスを開始させるステップとさらに備えることを特徴とする請求項１に記載のマシン型通信ＵＥ（ＭＴＣ ＵＥ）のランダムアクセス方法。
【請求項４】
前記指示情報は、以下いずれの方式でそれぞれのＣＥ ＬＥＶＥＬ及びそれに対応するＰＲＡＣＨリソースを指示し、
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものであることを特徴とする請求項１に記載のマシン型通信ＵＥ（ＭＴＣ ＵＥ）のランダムアクセス方法。
【請求項５】
ＭＴＣ ＵＥに指示情報を送信するステップであって、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する前記送信ステップと、
ＭＴＣ ＵＥにより、選択されたＣＥ ＬＥＶＥＬに対応するＰＲＡＣＨリソースにおいて開始されたランダムアクセスを受信するステップとを備え、
前記選択されたＣＥ ＬＥＶＥＬの選択方法としては、
指示情報により指示された少なくとも１つのＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択し、
前記ＭＴＣ ＵＥのＣＥ ＬＥＶＥＬにより、指示情報により指示された前記ＣＥ ＬＥＶＥＬに対応するＰＲＡＣＨリソースを選択し、
指示情報により指示された１つのＣＥ ＬＥＶＥＬが前記ＭＴＣ ＵＥのＣＥ ＬＥＶＥＬではない場合、指示情報により指示されたＣＥ ＬＥＶＥＬを選択し、
選択されたＣＥ ＬＥＶＥＬにより、指示情報により指示された前記ＣＥ ＬＥＶＥＬに対応するＰＲＡＣＨリソースを確定することを特徴とするネットワーク側トリガーマシン型通信ＵＥ（ＭＴＣ ＵＥ）のランダムアクセス方法。
【請求項６】
前記指示情報は、プロトコルにより約定されたそれぞれのＣＥ ＬＥＶＥＬ及びそれに対応するＰＲＡＣＨリソースを指示し、または、
前記指示情報は、プロトコルにより約定された複数のＣＥ ＬＥＶＥＬ及びそれに対応するＰＲＡＣＨリソースを指示し、または、
前記指示情報は、プロトコルにより約定された１つのＣＥ ＬＥＶＥＬ及びそれに対応するＰＲＡＣＨリソースを指示することを特徴とする請求項５に記載のネットワーク側トリガーマシン型通信ＵＥ（ＭＴＣ ＵＥ）のランダムアクセス方法。
【請求項７】
前記指示情報は、以下いずれの方式でそれぞれのＣＥ ＬＥＶＥＬ及びそれに対応するＰＲＡＣＨリソースを指示し、
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものであることを特徴とする請求項５に記載のネットワーク側トリガーマシン型通信ＵＥ（ＭＴＣ ＵＥ）のランダムアクセス方法。
【請求項８】
ネットワーク側により送信された指示情報を受信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する受信ユニットと、
ＭＴＣ ＵＥのＣＥ ＬＥＶＥＬ及びネットワーク側により指示された少なくとも１つのＣＥ ＬＥＶＥＬから、１つのＣＥ ＬＥＶＥＬを選択し、前記ＣＥ ＬＥＶＥＬに対応するＰＲＡＣＨリソースを確定する選択ユニットと、
選択されたＣＥ ＬＥＶＥＬに対応するＰＲＡＣＨリソースにおいて、ランダムアクセスを行うランダムアクセスユニットとを備え、
前記指示情報は、１つのＣＥ ＬＥＶＥＬ及びそれに対応するＰＲＡＣＨリソースを指示し、
前記選択ユニットが前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する場合、
ネットワーク側により指示された少なくとも１つのＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択し、
前記ＭＴＣ ＵＥのＣＥ ＬＥＶＥＬにより、ネットワーク側により指示された前記ＣＥ ＬＥＶＥＬに対応するＰＲＡＣＨリソースを選択し、
ネットワーク側により指示された１つのＣＥ ＬＥＶＥＬが前記ＭＴＣ ＵＥのＣＥ ＬＥＶＥＬではない場合、ネットワーク側により指示されたＣＥ ＬＥＶＥＬを選択し、
選択されたＣＥ ＬＥＶＥＬにより、ネットワーク側により指示された前記ＣＥ ＬＥＶＥＬに対応するＰＲＡＣＨリソースを確定することを特徴とするマシン型通信ＵＥ（ＭＴＣ ＵＥ）。
【請求項９】
前記指示情報は、ＣＥ ＬＥＶＥＬ及びそれに対応するＰＲＡＣＨリソースそれぞれを指示することを特徴とする請求項８に記載のマシン型通信ＵＥ（ＭＴＣ ＵＥ）。
【請求項１０】
ランダムアクセスユニットは、選択されたＣＥ ＬＥＶＥＬに対応するＰＲＡＣＨリソースにおいて、ランダムアクセスが失敗する場合、
カバレッジ利得が１レベル高いＣＥ ＬＥＶＥＬに自ら遷移し、
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいて非競合ランダムアクセスを開始させ、さもなければ、競合ランダムアクセスリソース選択メカニズムにより、ＰＲＡＣＨリソースを選択して、競合ランダムアクセスを開始させることを特徴とする請求項８に記載のマシン型通信ＵＥ（ＭＴＣ ＵＥ）。
【請求項１１】
前記指示情報は、以下いずれの方式でそれぞれのＣＥ ＬＥＶＥＬ及びそれに対応するＰＲＡＣＨリソースを指示し、
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものであることを特徴とする請求項８に記載のマシン型通信ＵＥ（ＭＴＣ ＵＥ）
【発明の詳細な説明】
【技術分野】
【０００１】
本発明は通信技術分野に関し、特にＭＴＣ ＵＥランダムアクセス方法及び装置に関する。
【背景技術】
【０００２】
１）ＭＴＣ（Ｍａｃｈｉｎｅ Ｔｙｐｅ Ｃｏｍｍｕｎｉｃａｔｉｏｎ）
モノのインターネット（ｉｎｔｅｒｎｅｔ ｏｆ ｔｈｉｎｇｓ）の出現とともない、ＬＴＥ（Ｌｏｎｇ Ｔｅｒｍ Ｅｖｏｌｕｔｉｏｎ）システムにおいてＭＴＣ（Ｍａｃｈｉｎｅ Ｔｙｐｅ Ｃｏｍｍｕｎｉｃａｔｉｏｎ）をサポートすることはますます重要視されていく。３ＧＰＰ Ｒｅｌｅａｓｅ １３には、ＭＴＣの物理層強化に対するプロジェクトを立案した。一台のＭＴＣ装置（またはＭＴＣ端末とも称される）は、多様なＭ２Ｍ（Ｍａｃｈｉｎｅ ｔｏ Ｍａｃｈｉｎｅ）通信特性のうちの一部の特性、例えば、低モビリティ、小伝送データ量、通信遅延への鈍感、極低消費電力などを有する。ここで、ＭＴＣ ＵＥのコストを低減するため、新たしいＵＥタイプを定義しようとし、当該タイプの場合、そのアップリンクとダウンリンクのいて、１.４メガヘルツ（ＭＨｚ）無線周波数帯域幅のみをサポートする。
【０００３】
従来ネットワークにおけるあるシナリオでの端末、例えば地下室、百貨店または建物の隅に位置する端末は、無線信号のひどい遮断により、信号が減衰されてしまい、ネットワークと通信できなくなる。このようなシナリオでネットワークのカバレッジはネットワークのネット立てコストを大幅に向上する。テストにより、従来のカバレッジを強化してネットワーク通信を実現する必要があると認識している。カバレッジ強化のための実施可能の方法としては、従来のチャネルに対して重複伝送または類似技術を利用し、理論上で従来の物理チャネルに対して、数十回ないし数百回の重複伝送を行うことにより、ある程度のカバレッジ範囲が増大できる方法である。
【０００４】
２）ＬＴＥシステムにおけるランダムアクセスメカニズム
ＬＴＥシステムにおいて、ランダムアクセスの原因は以下の何種がある。
【０００５】
※無線リソース制御アイドルＲＲＣ＿ＩＤＬＥ状態からアクセスされる（初期アクセスとも呼ばれ、ｉｎｉｔｉａｌ ａｃｅｌｌｅｓｓ）。
【０００６】
※無線リンクの失敗によって、ＲＲＣ接続再確立を開始する（初期アクセスの１種）。
【０００７】
※ハンドオーバープロシージャにおいてランダムアクセスが必要とする。
【０００８】
※ＵＥがＲＲＣ接続状態（ＲＲＣ＿ＣＯＮＮＥＣＴＥＤ）となる場合、到達したダウンリンクデータがある。
【０００９】
※ＵＥがＲＲＣ＿ＣＯＮＮＥＣＴＥＤとなる場合、到達したアップリンクデータがある
ダウンリンクデータの到達及びハンドオーバーが存在する場合、特定のプリアンブルｐｒｅａｍｂｌｅがあれば、非競合ランダムアクセスを利用することができる。非競合ランダムアクセスのプロシージャは図１に示すように、主に、３つのステップで行う。
【００１０】
ステップ１において、基地局はＵＥにメッセージＭｓｇ０を送信する。
【００１１】
基地局は、ＵＥに、非競合ランダムアクセスための特定ｒａ−ＰｒｅａｍｂｌｅＩｎｄｅｘ（ランダムアクセスプリアンブルインデックス,  Ｒａｎｄｏｍ Ａｃｅｌｌｅｓｓ Ｐｒｅａｍｂｌｅ Ｉｎｄｅｘ）及びＰＲＡＣＨ（Ｐｈｙｓｉｃａｌ Ｒａｎｄｏｍ Ａｃｃｅｓｓ Ｃｈａｎｎｅｌ,  物理ランダムアクセスチャネル）リソースｒａ−ＰＲＡＣＨ−ＭａｓｋＩｎｄｅｘを割り当てる。例えば、テーブル１に示したのは、ｒａ−ＰＲＡＣＨ−ＭａｓｋＩｎｄｅｘの値である。ダウンリンクデータの到達によって引き起こされた非競合ランダムアクセスの場合、ＰＤＣＥＬＬＨによりこれらの情報を搬送する。ハンドオーバーによって引き起こされた非競合ランダムアクセスの場合、ハンドオーバー命令（ｈａｎｄｏｖｅｒ ｃｏｍｍａｎｄ）にこれらの情報を含ませて、メッセージＭｓｇ０により、ＵＥに送信する。
【００１２】
ステップ２において、ＵＥは、基地局にメッセージＭｓｇ１を送信する。
【００１３】
ＵＥは、Ｍｓｇ０により指し示したｒａ−ＰｒｅａｍｂｌｅＩｎｄｅｘ及びｒａ−ＰＲＡＣＨ−ＭａｓｋＩｎｄｅｘに基づき、指定のＰＲＡＣＨリソースにおいて、基地局に、指定の特定ｐｒｅａｍｂｌｅを送信する。基地局は、Ｍｓｇ１を受信した後、Ｍｓｇ１に基づいてアップリンクＴＡ（Ｔｉｍｉｎｇ Ａｄｖａｎｃｅ）を計算する。
【００１４】
ステップ３において、基地局はＵＥにＭｓｇ２を送信する。
【００１５】
基地局は、Ｍｓｇ２により、ＵＥにランダムアクセス応答を送信し、ランダムアクセス応答には、ＴＡ情報が含まれ、ＵＥにその後のアップリンク伝送のＴＡを通知する。
【００１６】
他のすべてのランダムアクセスが起因となったランダムアクセスの場合、競合ランダムアクセスを利用することができる。競合ランダムアクセスのプロシージャは図２に示すように、４ステップに分けて行う。
【００１７】
ステップ１において、ＵＥは基地局にメッセージＭｓｇ１を送信する。
【００１８】
ＵＥは、ランダムアクセスｐｒｅａｍｂｌｅ及びＰＲＡＣＨリソースを選択して,当該ＰＲＡＣＨリソースにおいて、Ｍｓｇ１により、基地局に選択したランダムアクセスｐｒｅａｍｂｌｅを送信する。
【００１９】
ステップ２において、基地局は、ＵＥにメッセージＭｓｇ２を送信する。
【００２０】
基地局は、ｐｒｅａｍｂｌｅを受信し、ＴＡを計算し、Ｍｓｇ２により、ＵＥにランダムアクセス応答を送信する。ランダムアクセス応答には少なくともＴＡ情報及びＭｓｇ３に関するアップリンクＵＬ ｇｒａｎｔ情報が含まれる。
【００２１】
ステップ３において、ＵＥは基地局にメッセージＭｓｇ３を送信する。
【００２２】
ＵＥは、Ｍｓｇ２の指定のＵＬ ｇｒａｎｔにおいて、Ｍｓｇ３によりアップリンク伝送を行い、異なるランダムアクセス原因により、Ｍｓｇ３アップリンク伝送の内容も異なる。例えば、初期アクセスの場合、Ｍｓｇ３が伝送するのは、ＲＲＣ接続確立リクエスである。
【００２３】
ステップ４において、基地局はＵＥにメッセージＭｓｇ４を送信するｌ。
【００２４】
Ｍｓｇ４は、競合解決メッセージであり、ＵＥは、Ｍｓｇ４により、ランダムアクセスの成功有無を判断することができる。
【００２５】
ハンドオーバーまたはダウンリンクデータ到達野場合、ネットワーク側がＵＥをトリガーして、非競合ランダムアクセスプロシージャを開始させてる以外、ネットワーク側ＰＲＡＣＨリソースが足りない場合、ネットワーク側は、Ｍｓｇ０メッセージにより、ＵＥをトリガーして、競合ランダムアクセスを直接に開始させる。ここで、ｒａ−ＰｒｅａｍｂｌｅＩｎｄｅｘを、００００００とする。
0006609037.tif 000002
0006609037.tif 000003
【００２６】
３）低複雑度ＭＴＣ（Ｌｏｗ−Ｃｏｍｐｌｅｘｉｔｙ ＭＴＣ 、ＬＣ ＭＴＣ）場合のＲＡＣＨ（Ｒａｎｄｏｍ Ａｃｃｅｓｓ Ｃｈａｎｎｅｌ）ランダムアクセスチャネル）伝送メカニズム
エンハンストカバレッジ領域において伝送する場合、伝送性能を向上するため、何回も繰り返して伝送する必要がある。上述のランダムアクセスプロシージャの場合、それぞれのステップのメッセージのスケジューリングシグナリング及びメッセージ自身及び対応のフィードバック情報は、繰り返して伝送する必要がある。同種のメッセージが異なるカバレッジ・エンハンスト・レベル（ＣＥ ＬＥＶＥＬ）で伝送する場合、必要とする重複伝送の回数が異なる。よって、ＲＡＮ２#９０会議で、Ｍｓｇ１の伝送について、異なるＣＥ ＬＥＶＥＬのＭｓｇ１の伝送リソース（ＰＲＡＣＨリソース）が異なり、かつ、ＵＥは、目下自分の状況（例えば無線リソース管理ＲＲＭ測定など）によりＵＥ当時のＣＥ ＬＥＶＥＬを判断して、ＣＥ ＬＥＶＥＬでＰＲＡＣＨリソースを選択して、Ｍｓｇ１を伝送に用いる、ことを確認した。
【００２７】
ＵＥ自ら送信したランダムアクセスプロシージャについて、同一のＣＥ ＬＥＶＥＬのｐｒｅａｍｂｌｅ伝送成功率が事前に設定した伝送回数に達しても成功できない場合、ＵＥは、ＣＥ ＬＥＶＥＬを１レベルをアップして、より高いレベルのＣＥ ＬＥＶＥＬのＰＲＡＣＨリソースを選択して伝送に用いる必要がある。
【００２８】
よって、目下のカバレッジエンハンストランダムアクセス伝送プロシージャの場合、ＵＥ自ら開始したランダムアクセスに用いるＰＲＡＣＨリソースは、ＵＥ当時のＣＥ ＬＥＶＥＬと関連する。一方、ネットワーク側によりＵＥをトリガーして開始するランダムアクセスのプロシージャ場合のＰＲＡＣＨリソースは、ネットワーク側により決める。ネットワーク側からＵＥをトリガーして開始するランダムアクセスプロシージャは、主にダウンリンクデータ到達、または、ハンドオーバープロシージャに適用し、当該２つのプロシージャが共有の特定としては、ＵＥとターゲットＥＮＢの間、長時間にわたってデータ伝送がない、または、データ伝送があったことがないということである。長時間にわたってデータ伝送がない場合、ネットワーク側のＥＮＢは、ＵＥの現行ＣＥ ＬＥＶＥＬを即時かつ正確に把握できない。この際、ＵＥがどのようにＰＲＡＣＨリソースを選択すればよいのかについて、方法はまだ案出されていない。
【発明の概要】
【発明が解決しようとする課題】
【００２９】
本発明はＭＴＣ ＵＥのランダムアクセス方法及び装置を提供し、ネットワーク側が、非競合ランダムアクセス（ＣＦＲＡ）プロシージャを開始させるように、ＭＴＣ ＵＥをトリガーする場合、ＰＲＡＣＨリソースを選択するメカニズムを提供する。
【課題を解決するための手段】
【００３０】
本発明に係るマシン型通信ＵＥ（ＭＴＣ ＵＥ）のランダムアクセス方法は、
ネットワーク側により送信された指示情報を受信するステップであって、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する前記受信ステップと、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップと、
選択されたＣＥ ＬＥＶＥＬに対応するＰＲＡＣＨリソースにおいて、ランダムアクセスを行うステップとを備える。
【００３１】
好ましくは、ネットワーク側により送信された指示情報を受信するステップは、
ネットワーク側から、物理ダウンリンク制御チャネル（ＰＤＣＣＨ）命令により送信された指示情報を受信する。
【００３２】
好ましくは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示されたＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択するステップと、
前記ＭＴＣ ＵＥのＣＥ ＬＥＶＥＬにより、ネットワーク側により指示された前記ＣＥ ＬＥＶＥＬに対応するＰＲＡＣＨリソースを選択するステップとを備える。
【００３３】
好ましくは、前記指示情報は、ＣＥ ＬＥＶＥＬ及びそれに対応するＰＲＡＣＨリソースそれぞれを指示する。
【００３４】
好ましくは、前記指示情報は、複数のＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示された複数のＣＥ ＬＥＶＥＬに前記ＭＴＣ ＵＥのＣＥ ＬＥＶＥＬが含まれない場合、ネットワーク側により指示された複数のＣＥ ＬＥＶＥＬから、カバレッジ利得が前記ＭＴＣ ＵＥのＣＥ ＬＥＶＥＬに一番近いＣＥ ＬＥＶＥＬを１つ選択するステップと、
選択されたＣＥ ＬＥＶＥＬにより、ネットワーク側により指示された前記ＣＥ ＬＥＶＥＬに対応するＰＲＡＣＨリソースを確定するステップとを備える。
【００３５】
好ましくは、前記指示情報は、複数のＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するすてっぷは、
ネットワーク側により指示された複数のＣＥ ＬＥＶＥＬに前記ＭＴＣ ＵＥのＣＥ ＬＥＶＥＬが含まれない、かつ、前記ＭＴＣ ＵＥのＣＥ ＬＥＶＥＬのカバレッジ利得がネットワーク側により指示されたすべてのＣＥ ＬＥＶＥＬより小さい場合、前記ＭＴＣ ＵＥのＣＥ ＬＥＶＥＬを選択するステップと、
競合ランダムアクセスリソースによりメカニズムを選択し、前記ＭＴＣ ＵＥのＣＥ ＬＥＶＥＬに対応するＰＲＡＣＨリソースを確定するステップとを備える。
【００３６】
好ましくは、前記指示情報は、複数のＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示された複数のＣＥ ＬＥＶＥＬに前記ＭＴＣ ＵＥのＣＥ ＬＥＶＥＬが含まれず、かつ前記ＭＴＣ ＵＥのＣＥ ＬＥＶＥＬのカバレッジ利得がネットワーク側により指示された全部のＣＥ ＬＥＶＥＬより大きい場合、ネットワーク側により指示された複数のＣＥ ＬＥＶＥＬからＣＥ ＬＥＶＥＬ１つを選択するステップと、
選択されたＣＥ ＬＥＶＥＬにより、ネットワーク側により指示された前記ＣＥ ＬＥＶＥＬに対応するＰＲＡＣＨリソースを確定するステップとを備える。
【００３７】
好ましくは、前記指示情報は、１つのＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示された１つのＣＥ ＬＥＶＥＬが前記ＭＴＣ ＵＥのＣＥ ＬＥＶＥＬではない場合、ネットワーク側により指示されたＣＥ ＬＥＶＥＬを選択するステップと、
選択されたＣＥ ＬＥＶＥＬにより、ネットワーク側により指示された前記ＣＥ ＬＥＶＥＬに対応するＰＲＡＣＨリソースを確定するステップとを備える。
【００３８】
好ましくは、前記指示情報は、１つのＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示された１つのＣＥ ＬＥＶＥＬが前記ＭＴＣ ＵＥのＣＥ ＬＥＶＥＬではない、かつ、前記ＭＴＣ ＵＥのＣＥ ＬＥＶＥＬのカバレッジ利得がネットワーク側により指示されたＣＥ ＬＥＶＥＬより大きい場合、ネットワーク側により指示されたＣＥ ＬＥＶＥＬを選択するステップと、
選択されたＣＥ ＬＥＶＥＬにより、ネットワーク側により指示された前記ＣＥ ＬＥＶＥＬに対応するＰＲＡＣＨリソースを確定するステップとを備える。
【００３９】
好ましくは、前記指示情報は、１つのＣＥ ＬＥＶＥＬ及びそれに対応するＰＲＡＣＨリソースを指示し、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定するステップは、
ネットワーク側により指示された１つのＣＥ ＬＥＶＥＬが前記ＭＴＣ ＵＥのＣＥ ＬＥＶＥＬではなく、かつ前記ＭＴＣ ＵＥのＣＥ ＬＥＶＥＬのカバレッジ利得がネットワーク側により指示されたＣＥ ＬＥＶＥＬより小さい場合、前記ＭＴＣ ＵＥのＣＥ ＬＥＶＥＬを選択するステップと、
競合ランダムアクセスリソースによりメカニズムを選択し、前記ＭＴＣ ＵＥのＣＥ ＬＥＶＥＬに対応するＰＲＡＣＨリソースを確定するステップとを備える。
【００４０】
好ましくは、選択されたＣＥ ＬＥＶＥＬに対応するＰＲＡＣＨリソースにおいて、ランダムアクセスが失敗する場合、
カバレッジ利得が１レベル高いＣＥ ＬＥＶＥＬに自ら遷移するステップと、
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいて非競合ランダムアクセスを開始させ、さもなければ、競合ランダムアクセスリソース選択メカニズムにより、ＰＲＡＣＨリソースを選択して、競合ランダムアクセスを開始させるステップとを備える。
【００４１】
好ましくは、前記指示情報は、以下いずれの方式でそれぞれのＣＥ ＬＥＶＥＬ及びそれに対応するＰＲＡＣＨリソースを指示する：
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【００４２】
本発明にかかるネットワーク側トリガーＭＴＣ ＵＥランダムアクセス方法は、
ＭＴＣ ＵＥに指示情報を送信するステップであって、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する前記送信ステップと、
ＭＴＣ ＵＥにより、選択されたＣＥ ＬＥＶＥＬに対応するＰＲＡＣＨリソースにおいて開始されたランダムアクセスを受信するステップとを備える。
【００４３】
好ましくは、ＭＴＣ ＵＥに指示情報を送信するステップは、物理ダウンリンク制御チャネル（ＰＤＣＣＨ）命令によりＭＴＣ ＵＥに指示情報を送信する。
【００４４】
好ましくは、前記指示情報は、プロトコルにより約定されたそれぞれのＣＥ ＬＥＶＥＬ及びそれに対応するＰＲＡＣＨリソースを指示し、または、
前記指示情報は、プロトコルにより約定された複数のＣＥ ＬＥＶＥＬ及びそれに対応するＰＲＡＣＨリソースを指示し、または、
前記指示情報は、プロトコルにより約定された１つのＣＥ ＬＥＶＥＬ及びそれに対応するＰＲＡＣＨリソースを指示する。
【００４５】
好ましくは、前記指示情報は、以下いずれの方式でそれぞれのＣＥ ＬＥＶＥＬ及びそれに対応するＰＲＡＣＨリソースを指示する。
【００４６】
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【００４７】
本発明に係るマシン型通信ＵＥ（ＭＴＣ ＵＥ）は、
ネットワーク側により送信された指示情報を受信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する受信ユニットと、
前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する選択ユニットと、
選択されたＣＥ ＬＥＶＥＬに対応するＰＲＡＣＨリソースにおいて、ランダムアクセスを行うランダムアクセスユニットとを備える。
【００４８】
好ましくは、前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示されたＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択し、
前記ＭＴＣ ＵＥのＣＥ ＬＥＶＥＬにより、ネットワーク側により指示された前記ＣＥ ＬＥＶＥＬに対応するＰＲＡＣＨリソースを選択する。
【００４９】
好ましくは、前記指示情報は、ＣＥ ＬＥＶＥＬ及びそれに対応するＰＲＡＣＨリソースそれぞれを指示する。
【００５０】
好ましくは、前記指示情報は、複数のＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された複数のＣＥ ＬＥＶＥＬに前記ＭＴＣ ＵＥのＣＥ ＬＥＶＥＬが含まれない場合、ネットワーク側により指示された複数のＣＥ ＬＥＶＥＬから、カバレッジ利得が前記ＭＴＣ ＵＥのＣＥ ＬＥＶＥＬに一番近いＣＥ ＬＥＶＥＬを１つ選択し、
選択されたＣＥ ＬＥＶＥＬにより、ネットワーク側により指示された前記ＣＥ ＬＥＶＥＬに対応するＰＲＡＣＨリソースを確定する。
【００５１】
好ましくは、前記指示情報は、複数のＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された複数のＣＥ ＬＥＶＥＬに前記ＭＴＣ ＵＥのＣＥ ＬＥＶＥＬが含まれない、かつ、前記ＭＴＣ ＵＥのＣＥ ＬＥＶＥＬのカバレッジ利得がネットワーク側により指示されたすべてのＣＥ ＬＥＶＥＬより小さい場合、前記ＭＴＣ ＵＥのＣＥ ＬＥＶＥＬを選択し、
競合ランダムアクセスリソースによりメカニズムを選択し、前記ＭＴＣ ＵＥのＣＥ ＬＥＶＥＬに対応するＰＲＡＣＨリソースを確定する。
【００５２】
好ましくは、前記指示情報は、複数のＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された複数のＣＥ ＬＥＶＥＬに前記ＭＴＣ ＵＥのＣＥ ＬＥＶＥＬが含まれず、かつ前記ＭＴＣ ＵＥのＣＥ ＬＥＶＥＬのカバレッジ利得がネットワーク側により指示された全部のＣＥ ＬＥＶＥＬより大きい場合、ネットワーク側により指示された複数のＣＥ ＬＥＶＥＬからＣＥ ＬＥＶＥＬ１つを選択し、
選択されたＣＥ ＬＥＶＥＬにより、ネットワーク側により指示された前記ＣＥ ＬＥＶＥＬに対応するＰＲＡＣＨリソースを確定する。
【００５３】
好ましくは、前記指示情報は、１つのＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された１つのＣＥ ＬＥＶＥＬが前記ＭＴＣ ＵＥのＣＥ ＬＥＶＥＬではない場合、ネットワーク側により指示されたＣＥ ＬＥＶＥＬを選択し、
選択されたＣＥ ＬＥＶＥＬにより、ネットワーク側により指示された前記ＣＥ ＬＥＶＥＬに対応するＰＲＡＣＨリソースを確定する。
【００５４】
好ましくは、前記指示情報は、１つのＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された１つのＣＥ ＬＥＶＥＬが前記ＭＴＣ ＵＥのＣＥ ＬＥＶＥＬではない、かつ、前記ＭＴＣ ＵＥのＣＥ ＬＥＶＥＬのカバレッジ利得がネットワーク側により指示されたＣＥ ＬＥＶＥＬより大きい場合、ネットワーク側により指示されたＣＥ ＬＥＶＥＬを選択し、
選択されたＣＥ ＬＥＶＥＬにより、ネットワーク側により指示された前記ＣＥ ＬＥＶＥＬに対応するＰＲＡＣＨリソースを確定する。
【００５５】
好ましくは、前記指示情報は、１つのＣＥ ＬＥＶＥＬ及びそれに対応するＰＲＡＣＨリソースを指示し、
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された１つのＣＥ ＬＥＶＥＬが前記ＭＴＣ ＵＥのＣＥ ＬＥＶＥＬではなく、かつ前記ＭＴＣ ＵＥのＣＥ ＬＥＶＥＬのカバレッジ利得がネットワーク側により指示されたＣＥ ＬＥＶＥＬより小さい場合、前記ＭＴＣ ＵＥのＣＥ ＬＥＶＥＬを選択し、
競合ランダムアクセスリソースによりメカニズムを選択し、前記ＭＴＣ ＵＥのＣＥ ＬＥＶＥＬに対応するＰＲＡＣＨリソースを確定する。
【００５６】
好ましくは、ランダムアクセスユニットは、選択されたＣＥ ＬＥＶＥＬに対応するＰＲＡＣＨリソースにおいて、ランダムアクセスが失敗する場合、
カバレッジ利得が１レベル高いＣＥ ＬＥＶＥＬに自ら遷移し、
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいて非競合ランダムアクセスを開始させ、さもなければ、競合ランダムアクセスリソース選択メカニズムにより、ＰＲＡＣＨリソースを選択して、競合ランダムアクセスを開始させる。
【００５７】
好ましくは、前記指示情報は、以下いずれの方式でそれぞれのＣＥ ＬＥＶＥＬ及びそれに対応するＰＲＡＣＨリソースを指示する：
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【００５８】
本発明に係るトリガーＭＴＣ ＵＥランダムアクセスのためのネットワーク側装置は、
ＭＴＣ ＵＥに指示情報を送信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する指示ユニットと、
ＭＴＣ ＵＥにより、選択されたＣＥ ＬＥＶＥＬに対応するＰＲＡＣＨリソースにおいて開始されたランダムアクセスを受信する受信ユニットとを備える。
【００５９】
好ましくは、前記指示ユニットが指示した指示情報は、プロトコルにより約定されたそれぞれのＣＥ ＬＥＶＥＬ及びそれに対応するＰＲＡＣＨリソースを指示し、または、
前記指示ユニットが指示した指示情報は、プロトコルにより約定された複数のＣＥ ＬＥＶＥＬ及びそれに対応するＰＲＡＣＨリソースを指示し、または、
前記指示ユニットが指示した指示情報は、プロトコルにより約定された１つのＣＥ ＬＥＶＥＬ及びそれに対応するＰＲＡＣＨリソースを指示する。
【００６０】
好ましくは、前記指示ユニットは、以下いずれの方式でそれぞれのＣＥ ＬＥＶＥＬ及びそれに対応するＰＲＡＣＨリソースを指示する、
それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示し、
それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものであり、
それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【発明の効果】
【００６１】
本発明に係るＭＴＣ ＵＥ的ランダムアクセス方法及び装置は、以下の効果を奏する。
【００６２】
ネットワーク側からＭＴＣ ＵＥをトリガーして非競合ランダムアクセス（ＣＦＲＡ）プロシージャを開始させる場合、ＭＴＣ ＵＥは、ネットワーク側により指定されたＣＥ ＬＥＶＥＬ及びそれに対応するＰＲＡＣＨリソースに基づき、前記ＭＴＣ ＵＥのＣＥ ＬＥＶＥＬも合わせて考慮し、１つのＣＥ ＬＥＶＥＬを選択し、かつ対応のＰＲＡＣＨリソースにおいてランダムアクセスプロシージャを開始させ、こうして、ネットワーク側からＵＥをトリガーして、ンダムアクセスを開始させる場合、ＵＥがどのようにＰＲＡＣＨリソースを選択してランダムアクセスを行ったらいいかとの問題を解決した。
【図面の簡単な説明】
【００６３】
【図１】従来技術の非競合ランダムアクセスプロシージャを指示する図である。
【図２】従来技術の競合ランダムアクセスプロシージャを指示する図である。
【図３】本発明の実施例に係るＭＴＣ ＵＥランダムアクセス方法のフローチャートである。
【図４】本発明の実施例に係るネットワーク側トリガーＭＴＣ ＵＥランダムアクセス方法のフローチャートである。
【図５】本発明の実施例に係るＭＴＣ ＵＥを指示する図である。
【図６】本発明の実施例に係る他のＭＴＣ ＵＥの構造図である。
【図７】本発明の実施例に係るＭＴＣ ＵＥをトリガーしてランダムアクセスするのためのネットワーク側装置の構造図である。
【図８】本発明の実施例に係る基地局の構造図である。
【発明を実施するための形態】
【００６４】
以下、図面及び実施例を参照しながら本発明に係るＭＴＣ ＵＥのランダムアクセス方法及び装置をさらに詳細に説明する。
【００６５】
以下の説明において、まずは、ネットワーク側及びＵＥ側の協働実施の視点から説明して、最後は、ネットワーク側及びＵＥ側のそれぞれの片側における実施の視点から説明するが、二者が必ず協働実施するわけではなく、実に、ネットワーク側とＵＥ側ぞれぞれ片側で実施しても、ネットワーク側、ＵＥ側それぞれに存在する問題点を解決することができるが、二者が結合して実施すれば、よりよい技術効果を得ることができる。
【００６６】
本発明は、ネットワーク側によりトリガーするマシン型通信ＵＥ（ＭＴＣ ＵＥ）のランダムアクセス方法及びＭＴＣ ＵＥランダムアクセス方法を提供し、主に以下のステップを備える。
【００６７】
ステップ１において、ネットワーク側は、ＭＴＣ ＵＥに指示情報を送信する。前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。
【００６８】
ネットワーク側によりＵＥをトリガーして開始した非競合ランダムアクセスプロシージャにおいて、ネットワーク側は、ＵＥのためにＰＲＡＣＨリソースを割り当てる。本実施例のネットワーク側は、ＭＴＣ ＵＥに、少なくとも１つのＣＥ ＬＥＶＥＬ及びそれに対応するＰＲＡＣＨリソースを指示することができる。
【００６９】
好ましくは、ネットワーク側は、物理ダウンリンク制御チャネル（ＰＤＣＣＨ）命令（ＰＤＣＣＨ ｏｒｄｅｒ）によりＭＴＣ ＵＥに指示情報を送信することができるが、これに限られない。
【００７０】
ネットワーク側のＰＤＣＣＨ ｏｒｄｅｒには、プロトコルにより約定した、ＣＥ ＬＥＶＥＬ及びそれに対応するＰＲＡＣＨリソースの全集または一部の部分集合が含まれる。
【００７１】
ステップ２において、ＭＴＣ ＵＥネットワーク側により送信された指示情報を受信する。前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。
【００７２】
好ましくは、ＭＴＣ  ＵＥは、ネットワーク側がＰＤＣＣＨ ｏｒｄｅｒにより送信した指示情報を受信する。
【００７３】
ステップ３において、ＭＴＣ ＵＥは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する。
【００７４】
ＵＥは、目下自分の状況（例えば、ＲＲＭ測定等）により、ＵＥの現行ＣＥ ＬＥＶＥＬを判断し、ネットワーク側は、少なくとも１つのＣＥ ＬＥＶＥＬのＰＲＡＣＨリソースを同時に指示して、ＵＥは所定のメカニズムに従って１つのＣＥ ＬＥＶＥＬを選択することができ、かつ、前記ＣＥ ＬＥＶＥＬに対応するＰＲＡＣＨリソースを確定する。
【００７５】
ステップ４において、選択されたＣＥ ＬＥＶＥＬに対応するＰＲＡＣＨリソースにおいてランダムアクセスを開始させる。
【００７６】
ステップ５において、ネットワーク側は、ＭＴＣ ＵＥにより、選択されたＣＥ ＬＥＶＥＬに対応するＰＲＡＣＨリソースにおいて開始されたランダムアクセスを受信する。
【００７７】
好ましくは、前記ＭＴＣ ＵＥのＣＥ ＬＥＶＥＬ及びネットワーク側により指示されたＣＥ ＬＥＶＥＬから、下記のメカニズムに従ってＣＥ ＬＥＶＥＬを選択する。
【００７８】
*ＭＴＣ ＵＥの前記現行ＭＴＣ ＵＥのＣＥ ＬＥＶＥＬネットワーク側により指示されたＣＥ ＬＥＶＥＬに含まれるのかにより、選択されたＣＥ ＬＥＶＥＬを確定する
＜状況１＞ＭＴＣ ＵＥは前記現行ＭＴＣ ＵＥのＣＥ ＬＥＶＥＬがネットワーク側により指示されたＣＥ ＬＥＶＥＬに含まれると確定する
ＭＴＣ ＵＥは、前記ＭＴＣ ＵＥのＣＥ ＬＥＶＥＬを選択し、前記ＭＴＣ ＵＥのＣＥ ＬＥＶＥＬにより、ネットワーク側により指示された前記ＣＥ ＬＥＶＥＬに対応するＰＲＡＣＨリソースを選択し、対応のＰＲＡＣＨリソースにおいて非競合ランダムアクセス（ＣＦＲＡ）プロシージャを開始させる。
【００７９】
＜状況２＞ＭＴＣ ＵＥは、前記現行ＭＴＣ ＵＥのＣＥ ＬＥＶＥＬがネットワーク側により指示されたＣＥ ＬＥＶＥＬに含まれていなければ、以下の方法で１つのＣＥ ＬＥＶＥＬを確定する
１）ＭＴＣ ＵＥは、前記ＭＴＣ ＵＥのＣＥ ＬＥＶＥＬを選択し、競合ランダムアクセスリソースによりメカニズムを選択し、前記ＭＴＣ ＵＥのＣＥ ＬＥＶＥＬのＰＲＡＣＨリソースを確定して、競合ランダムアクセスＣＢＲＡプロシージャを開始させる。
【００８０】
２）ＭＴＣ ＵＥは、ネットワーク側により指示された複数のＣＥ ＬＥＶＥＬから、カバレッジ利得が前記ＭＴＣ ＵＥのＣＥ ＬＥＶＥＬと一番近いＣＥ ＬＥＶＥＬ１つを選択し、選択されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいてＣＦＲＡを開始させる。
【００８１】
異なるＣＥ ＬＥＶＥＬに対応するカバレッジ利得が異なり、選択されたカバレッジ利得が前記ＭＴＣ ＵＥのＣＥ ＬＥＶＥＬに一番近いＣＥ ＬＥＶＥＬは、前記ＭＴＣ ＵＥのＣＥ ＬＥＶＥＬカバレッジ利得より優れているかもしれないか、前記ＭＴＣ ＵＥのＣＥ ＬＥＶＥＬカバレッジ利得より劣る可能性もある。
【００８２】
より好ましくは、前記ＭＴＣ ＵＥのＣＥ ＬＥＶＥＬカバレッジ利得より劣っているが、前記ＭＴＣ ＵＥのＣＥ ＬＥＶＥＬと一番近いＣＥ ＬＥＶＥＬを選択することができる。
【００８３】
３）ＭＴＣ ＵＥは、前記ＭＴＣ ＵＥのＣＥ ＬＥＶＥＬのカバレッジ利得がネットワーク側により指示されたＣＥ ＬＥＶＥＬより高いか低い状況にしたがって、前記ＭＴＣ ＵＥのＣＥ ＬＥＶＥＬを選択するか、ネットワーク側により指定された１つのＣＥ ＬＥＶＥＬを選択するかを、確定する。
【００８４】
ネットワーク側により指示された複数のＣＥ ＬＥＶＥＬに前記ＭＴＣ ＵＥのＣＥ ＬＥＶＥＬが含まれない、かつ、前記ＭＴＣ ＵＥのＣＥ ＬＥＶＥＬのカバレッジ利得がネットワーク側により指示されたすべてのＣＥ ＬＥＶＥＬより小さい場合、前記ＭＴＣ ＵＥのＣＥ ＬＥＶＥＬを選択する。競合ランダムアクセスリソースによりメカニズムを選択し、前記ＭＴＣ ＵＥのＣＥ ＬＥＶＥＬに対応するＰＲＡＣＨリソースを確定する。
【００８５】
または、ネットワーク側により指示された複数のＣＥ ＬＥＶＥＬに前記ＭＴＣ ＵＥのＣＥ ＬＥＶＥＬが含まれず、かつ前記ＭＴＣ ＵＥのＣＥ ＬＥＶＥＬのカバレッジ利得がネットワーク側により指示された全部のＣＥ ＬＥＶＥＬより大きい場合、ネットワーク側により指示された複数のＣＥ ＬＥＶＥＬからＣＥ ＬＥＶＥＬ１つを選択する。選択されたＣＥ ＬＥＶＥＬにより、ネットワーク側により指示された前記ＣＥ ＬＥＶＥＬに対応するＰＲＡＣＨリソースを確定する。
【００８６】
以下は、ネットワーク側の異なる指示方式により、対応のＰＲＡＣＨリソースを選択する好ましい実施例である。
【００８７】
１）ネットワーク側は、ＰＤＣＣＨ ｏｒｄｅｒにより、プロトコルにより約定されたそれぞれのＣＥ ＬＥＶＥＬ及びそれに対応するＰＲＡＣＨリソースを指示する
ネットワーク側がすべてのＣＥ ＬＥＶＥＬ及びそれに対応するＰＲＡＣＨリソースを指示する場合、ＭＴＣ ＵＥは、前記ＭＴＣ ＵＥのＣＥ ＬＥＶＥＬが必ずネットワーク側により指示されたＣＥ ＬＥＶＥＬに含まれると判断するため、前記ＭＴＣ ＵＥのＣＥ ＬＥＶＥＬを選択して利用する。
【００８８】
前記ＭＴＣ ＵＥのＣＥ ＬＥＶＥＬによりネットワーク側により指示された前記ＣＥ ＬＥＶＥＬに対応するＰＲＡＣＨリソースを確定し、前記ＰＲＡＣＨリソースにおいてＭｓｇ１を送信し、かつ、今回のＲＡＣＨプロシージャのＣＥ ＬＥＶＥＬの他の設定を確定する。
【００８９】
２）ネットワーク側は、ＰＤＣＣＨ ｏｒｄｅｒにより、プロトコルにより約定された複数のＣＥ ＬＥＶＥＬ及びそれに対応するＰＲＡＣＨリソースを指示する
即ち、ネットワーク側により指示されたのが、全部のＣＥ ＬＥＶＥＬであるか、一部のＣＥ ＬＥＶＥＬである可能性もある。
【００９０】
＜方法１＞ＭＴＣ ＵＥは、前記ＭＴＣ ＵＥのＣＥ ＬＥＶＥＬがネットワーク側により指示されたＣＥ ＬＥＶＥＬに含まれるのかに応じて区別して処理する。
【００９１】
（状況１）ＭＴＣ ＵＥは、前記ＭＴＣ ＵＥのＣＥ ＬＥＶＥＬがネットワーク側により指示されたＣＥ ＬＥＶＥＬに含まれると確定する
ＭＴＣ ＵＥは、前記ＭＴＣ ＵＥのＣＥ ＬＥＶＥＬを利用することを選択する。前記ＭＴＣ ＵＥのＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいてＭｓｇ１を送信し、かつ、今回のＲＡＣＨプロシージャのＣＥ ＬＥＶＥＬの他の設定を確定する。
【００９２】
（状況２）ＭＴＣ ＵＥは、前記ＭＴＣ ＵＥのＣＥ ＬＥＶＥＬがネットワーク側により指示されたＣＥ ＬＥＶＥＬに含まれていないと判断する場合、下記の処理方式を利用することができる。
【００９３】
ネットワーク側により指示された複数のＣＥ ＬＥＶＥＬから、カバレッジ利得が前記ＭＴＣ ＵＥのＣＥ ＬＥＶＥＬに一番近いＣＥ ＬＥＶＥＬを１つ選択する。選択されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいてＭｓｇ１を送信し、前記ＣＥ ＬＥＶＥＬにより対応の前記ＣＥ ＬＥＶＥＬの他のＲＡＣＨ関連設定を把握する。
【００９４】
または、前記ＭＴＣ ＵＥのＣＥ ＬＥＶＥＬのカバレッジ利得がネットワーク側により指示された全部のＣＥ ＬＥＶＥＬより劣っている場合、前記ＭＴＣ ＵＥのＣＥ ＬＥＶＥＬを選択する。競合ランダムアクセスリソースによりメカニズムを選択し、前記ＭＴＣ ＵＥのＣＥ ＬＥＶＥＬに対応するＰＲＡＣＨリソースを確定し、対応のＰＲＡＣＨリソースにおいて競合ランダムアクセスを開始させる。
【００９５】
または、前記ＭＴＣ ＵＥのＣＥ ＬＥＶＥＬのカバレッジ利得がネットワーク側により指示された全部のＣＥ ＬＥＶＥＬより優れている場合、ネットワーク側により指示された複数のＣＥ ＬＥＶＥＬからＣＥ ＬＥＶＥＬ１つを選択する。選択されたＣＥ ＬＥＶＥＬにより、ネットワーク側により指示された前記ＣＥ ＬＥＶＥＬに対応するＰＲＡＣＨリソースを確定する。前記ＰＲＡＣＨリソースにおいてＭｓｇ１を送信し、前記ＣＥ ＬＥＶＥＬにより対応の前記ＣＥ ＬＥＶＥＬの他のＲＡＣＨ関連設定を把握する。好ましくは、カバレッジ利得が前記ＭＴＣ ＵＥのＣＥ ＬＥＶＥＬに一番近いＣＥ ＬＥＶＥＬを選択することができる。
【００９６】
３）ネットワーク側は、ＰＤＣＣＨ ｏｒｄｅｒによりプロトコルにより約定された１つのＣＥ ＬＥＶＥＬ及びそれに対応するＰＲＡＣＨリソースを指示する
【００９７】
（状況１）ネットワーク側により指示された１つのＣＥ ＬＥＶＥＬが前記ＭＴＣ ＵＥのＣＥ ＬＥＶＥＬである場合、前記ＭＴＣ ＵＥのＣＥ ＬＥＶＥＬを利用するように選択する。前記ＭＴＣ ＵＥのＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいてＭｓｇ１を送信し、かつ、今回のＲＡＣＨプロシージャのＣＥ ＬＥＶＥＬの他の設定を確定する。
【００９８】
（状況２）ネットワーク側により指示された１つのＣＥ ＬＥＶＥＬが前記ＭＴＣ ＵＥのＣＥ ＬＥＶＥＬではない場合、以下のメカニズムで選択されたＣＥ ＬＥＶＥＬを確定することができる。
【００９９】
ネットワーク側により指示されたＣＥ ＬＥＶＥＬを選択する。ネットワーク側により指示された前記ＣＥ ＬＥＶＥＬに対応するＰＲＡＣＨリソースにおいて、前記ＰＲＡＣＨリソースにおいてＭｓｇ１を送信し、かつ、今回のＲＡＣＨプロシージャのＣＥ ＬＥＶＥＬの他の設定を確定する。
【０１００】
または、前記ＭＴＣ ＵＥのＣＥ ＬＥＶＥＬのカバレッジ利得がネットワーク側により指示されたＣＥ ＬＥＶＥＬより優れている場合、ネットワーク側により指示されたＣＥ ＬＥＶＥＬを選択し、ネットワーク側により指示された前記ＣＥ ＬＥＶＥＬに対応するＰＲＡＣＨリソースにおいて、前記ＰＲＡＣＨリソースにおいてＭｓｇ１を送信し、かつ、今回のＲＡＣＨプロシージャのＣＥ ＬＥＶＥＬの他の設定を確定する。
【０１０１】
または、前記ＭＴＣ ＵＥのＣＥ ＬＥＶＥＬのカバレッジ利得がネットワーク側により指示されたＣＥ ＬＥＶＥＬより劣っている場合、前記ＭＴＣ ＵＥのＣＥ ＬＥＶＥＬを選択する。競合ランダムアクセスリソースによりメカニズムを選択し、前記ＭＴＣ ＵＥのＣＥ ＬＥＶＥＬに対応するＰＲＡＣＨリソースを確定して、ＰＲＡＣＨリソースにおいて競合ランダムアクセスを開始させる。
【０１０２】
好ましくは、選択されたＣＥ ＬＥＶＥＬに対応するＰＲＡＣＨリソースにおいてランダムアクセスの開始が失敗する場合、カバレッジ利得が１レベル高いＣＥ ＬＥＶＥＬに自ら遷移する。
【０１０３】
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいて非競合ランダムアクセスを開始させ、さもなければ、競合ランダムアクセスリソース選択メカニズムにより、ＰＲＡＣＨリソースを選択して、競合ランダムアクセスを開始させる。
【０１０４】
好ましくは、ネットワーク側により送信された指示情報は、以下いずれの方式でそれぞれのＣＥ ＬＥＶＥＬ及びそれに対応するＰＲＡＣＨリソースを指示する
＜方式１＞それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示する。
【０１０５】
＜方式２＞それぞれのＣＥ ＬＥＶＥＬ及びそれに対応するＰＲＡＣＨリソースの組み合わせの組み合わせインデックスを指示する。ここで、それぞれのＣＥ ＬＥＶＥＬ及びそれに対応するＰＲＡＣＨリソースの組み合わせは、プリセットされたものであるかまたはプロトコルにより約定されたものであり、また、それぞれの組み合わせに対応する組み合わせインデックスは、プリセットされたものであるかまたはプロトコルにより約定されたものである。
【０１０６】
＜方式３＞それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【０１０７】
以下、端末側におけるマシン型通信ＵＥ（ＭＴＣ ＵＥ）のランダムアクセス方法は、図３に示すように、以下のステップを備える。
【０１０８】
ステップ３０１において、ネットワーク側により送信された指示情報を受信する。前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。
【０１０９】
ステップ３０２において、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する。
【０１１０】
ステップ３０３において、選択されたＣＥ ＬＥＶＥＬに対応するＰＲＡＣＨリソースにおいてランダムアクセスを開始させる。
【０１１１】
以下、ネットワーク側の視点から、本発明はネットワーク側においてトリガーするＭＴＣ ＵＥランダムアクセス方法をさらに提供し、当該方法は図４に示すように、以下のステップを備える。
【０１１２】
ステップ４０１において、ＭＴＣ ＵＥに指示情報を送信する。前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。
【０１１３】
ステップ４０２においＴ、ＭＴＣ ＵＥにより、選択されたＣＥ ＬＥＶＥＬに対応するＰＲＡＣＨリソースにおいて開始されたランダムアクセスを受信する。
【０１１４】
以下は、本発明ＭＴＣ ＵＥランダムアクセス方法の好ましい実施例である。
【０１１５】
＜実施例１＞
ＥＮＢにより送信されたＰＤＣＣＨ ｏｒｄｅｒには、プロトコルにより約定したそれぞれのＣＥ ＬＥＶＥＬ及びそれに対応するＰＲＡＣＨリソースが含まれる。
【０１１６】
ネットワーク側は、３つのＣＥ ＬＥＶＥＬ及びそれに対応するＰＲＡＣＨリソースをＵＥに指示し、ＰＤＣＣＨ ｏｒｄｅｒには、それぞれのＣＥ ＬＥＶＥＬのＰＲＡＣＨ Ｍａｓｋ Ｉｎｄｅｘ及びｐｒｅａｍｂｌｅ Ｉｎｄｅｘが含まれる。
【０１１７】
ＵＥは、現行測定により、現行ＣＥ ＬＥＶＥＬを取得し、前記ＣＥ ＬＥＶＥＬにより、対応のＰＲＡＣＨ Ｍａｓｋ Ｉｎｄｅｘ及びｐｒｅａｍｂｌｅを取得し、当該情報により、ＲＡＣＨ伝送を行い、かつ、前記ＣＥ ＬＥＶＥＬによりその後の伝送を行う。
【０１１８】
今回のＰｒｅａｍｂｌｅ伝送が失敗したか、または、最大試行回数に達したのに失敗する場合、ＵＥは、１レベル高いＣＥ ＬＥＶＥＬに自ら遷移して、前記ＣＥ ＬＥＶＥＬにより、ＰＤＣＣＨ ｏｒｄｅｒに含まれるＰＲＡＣＨ Ｍａｓｋ Ｉｎｄｅｘ及びｐｒｅａｍｂｌｅ Ｉｎｄｅｘを見出して、非競合ランダムアクセスプロシージャ（ＣＦＲＡプロシージャ）を開始させる。   
【０１１９】
＜実施例２＞
ＥＮＢにより送信されたＰＤＣＣＨ ｏｒｄｅｒに１つのＣＥ ＬＥＶＥＬの特定PRＡＣＨリソースが含まれる。
【０１２０】
ネットワークは、１つのＣＥ ＬＥＶＥＬのＰＲＡＣＨリソースをＵＥに指示する。
【０１２１】
ＵＥは、ネットワークにより設定されたＰＲＡＣＨリソース及び対応のＣＥ ＬＥＶＥＬにより、ＣＦＲＡを開始させる。
【０１２２】
今回のＰｒｅａｍｂｌｅ伝送が失敗したか、または、最大試行回数に達したのに失敗する場合、ＵＥは、自ら１レベル高いＣＥ ＬＥＶＥＬ（自分当時のリアルＣＥ ＬＥＶＥＬによってもよい）に遷して、競合ランダムアクセスプロシージャ（ＣＢＲＡ）を開始させる。 
【０１２３】
＜実施例３＞
ＥＮＢにより送信されたＰＤＣＣＨ ｏｒｄｅｒに１つのＣＥ ＬＥＶＥＬの特定ＰＲＡＣＨリソースが含まれる。
【０１２４】
ネットワークは、１つのＣＥ ＬＥＶＥＬのＰＲＡＣＨリソースをＵＥに指示する。
【０１２５】
ＵＥの現行ＣＥ ＬＥＶＥＬがネットワークにより指示されたＣＥ ＬＥＶＥＬより優れている場合、ネットワークより指示されたＣＥ ＬＥＶＥＬに対応するＰＲＡＣＨリソースにおいてＣＦＲＡを開始させる。
【０１２６】
＜実施例４＞
ＥＮＢにより送信されたＰＤＣＣＨ ｏｒｄｅｒに１つのＣＥ ＬＥＶＥＬの特定ｐｒＡＣＨリソースが含まれる。
【０１２７】
ネットワークは、１つのＣＥ ＬＥＶＥＬのＰＲＡＣＨリソースをＵＥに指示する。
【０１２８】
ＵＥの現行ＣＥ ＬＥＶＥＬがネットワークより指示されたＣＥ ＬＥＶＥＬより劣っている場合、ＵＥの現行ＣＥ ＬＥＶＥＬによりＣＢＲＡを開始させる。
【０１２９】
＜実施例５＞
本実施例は、ＰＤＣＣＨ ｏｒｄｅｒにより複数のＣＥ ＬＥＶＥＬを指示する指示方式を提供する。具体的には、それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示する方式を用い、以下いずれの方法を利用することができる。
【０１３０】
＜方法１＞
１つの方式として、それぞれのＰＲＡＣＨ ＭＡＳＫ ＩＮＤＥＸ及びｐｒｅａｍｂｌｅ Ｉｎｄｅｘの組み合わせに対応するＣＥ ＬＥＶＥＬを提供し、１つのＣＥ ＬＥＶＥＬに対応してもよく、複数のＣＥ ＬＥＶＥＬに対応してもよい。他の方式としては、ＣＥ ＬＥＶＥＬに対応するＰＲＡＣＨ ＭＡＳＫ ＩＮＤＥＸ及びｐｒｅａｍｂｌｅ Ｉｎｄｅｘの組み合わせを提供し、１つの組み合わせであってもよく、複数の組み合わせであってもよい。
【０１３１】
具体的には、ＰＤＣＣＨ ｏｒｄｅｒのＰＤＣＣＨ ＤＣＩ ｆｏｒｍａｔにＣＥ ＬＥＶＥＬフィールドを追加することにより、前記ＰＤＣＣＨ ｏｒｄｅｒに含まれるＰＲＡＣＨ Ｍａｓｋ Ｉｎｄｅｘ及びｐｒｅａｍｂｌｅ Ｉｎｄｅｘに対応する１つのＣＥ ＬＥＶＥＬまたは対応する複数のＣＥ ＬＥＶＥＬを指示する。例えば、２ｂｉｔを追加し、テーブル２またはテーブル３に示すとおりである。
0006609037.tif 000004
0006609037.tif 000005
【０１３２】
または複数のｂｉｔのコードを導入して、一部の部分集合を指示する。即ち、複数ｂｉｔのコードは、指示するＣＥ ＬＥＶＥＬ及びそれに対応するＰＲｅａｍｂｌｅ Ｉｎｄｅｘ及びＰＲＡＣＨ Ｍａｓｋ Ｉｎｄｅｘを示す。当該方式において、ＵＥが前記ＰＤＣＣＨ ｏｒｄｅｒを取得すると、指示されたＣＥ ＬＥＶＥＬに対応するＰＲＡＣＨ Ｍａｓｋ Ｉｎｄｅｘにより、従来基準のテーブルから対応のＰＲＡＣＨリソースを見出す。
【０１３３】
＜方法２＞ＰＲＡＣＨ Ｍａｓｋ Ｉｎｄｅｘのテーブル次元を追加する
即ち、ＰＲＡＣＨ Ｍａｓｋ ＩｎｄｅｘのテーブルにＣＥ ＬＥＶＥＬが含まれ、当該テーブルは、それぞれのＣＥ ＬＥＶＥＬに対応するＰＲＡＣＨ Ｍａｓｋ Ｉｎｄｅｘのテーブルにおける利用可能ＰＲＡＣＨ Ｍａｓｋ Ｉｎｄｅｘ値を格納する。
【０１３４】
例えば、現在の１６個のコードを６４個または４８個まで拡張し、それぞれ４個のＣＥ ＬＥＶＥＬ（ＣＥ ＬＥＶＥＬ ０が含まれる）または３つのＣＥ ＬＥＶＥＬ（ＣＥ ＬＥＶＥＬ ０が含まれず）の情報に対応する。
【０１３５】
簡易化すると、即ち上述の方法１と類似し、ＤＣＩ ｆｏｒｍａｔにおけるＣＥ ＬＥＶＥＬの指示方式をＭａｓｋ Ｉｎｄｅｘテーブルに入れて、即ち、それぞれの、ＰＲＡＣＨ Ｍａｓｋ Ｉｎｄｅｘ値のところに、前記ＰＲＡＣＨ Ｍａｓｋ Ｉｎｄｅｘ及びｐｒｅａｍｂｌｅ Ｉｎｄｅｘに対応する１つのＣＥ ＬＥＶＥＬまたは複数のＣＥ ＬＥＶＥＬを指示する項目を追加する。
【０１３６】
＜方法３＞ＰＲＡＣＨ Ｒｅｓｏｕｒｃｅ Ｉｎｄｅｘにより暗示に指示する方法
指示されたＰＲＡＣＨ Ｒｅｓｏｕｒｃｅ Ｉｎｄｅｘが幾つかのＣＥ ＬＥＶＥＬに適用する場合、関連のＣＥ ＬＥＶＥＬのリソース全部、当該ＵＥのＣＦＲＡに用いられる。
【０１３７】
本発明に係るマシン型通信ＵＥ（ＭＴＣ ＵＥ）は図５に示すように、ネットワーク側により送信された指示情報を受信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する受信ユニット５０１と、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定する選択ユニット５０２と、選択されたＣＥ ＬＥＶＥＬに対応するＰＲＡＣＨリソースにおいて、ランダムアクセスを行うランダムアクセスユニット５０３とを備える。
【０１３８】
好ましくは、前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示されたＣＥ ＬＥＶＥＬに前記ＭＴＣ ＵＥのＣＥ ＬＥＶＥＬが含まれる場合、前記ＭＴＣ ＵＥのＣＥ ＬＥＶＥＬを選択する。また、前記ＭＴＣ ＵＥのＣＥ ＬＥＶＥＬにより、ネットワーク側により指示された前記ＣＥ ＬＥＶＥＬに対応するＰＲＡＣＨリソースを選択する。
【０１３９】
好ましくは、前記指示情報は、ＣＥ ＬＥＶＥＬ及びそれに対応するＰＲＡＣＨリソースそれぞれを指示する。
【０１４０】
好ましくは、前記指示情報は、複数のＣＥ ＬＥＶＥＬ及びそれに対応するＰＲＡＣＨリソースを指示する。
【０１４１】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示された複数のＣＥ ＬＥＶＥＬに前記ＭＴＣ ＵＥのＣＥ ＬＥＶＥＬが含まれない場合、ネットワーク側により指示された複数のＣＥ ＬＥＶＥＬから、カバレッジ利得が前記ＭＴＣ ＵＥのＣＥ ＬＥＶＥＬに一番近いＣＥ ＬＥＶＥＬを１つ選択する。また、選択されたＣＥ ＬＥＶＥＬにより、ネットワーク側により指示された前記ＣＥ ＬＥＶＥＬに対応するＰＲＡＣＨリソースを確定する。
【０１４２】
好ましくは、前記指示情報は、複数のＣＥ ＬＥＶＥＬ及びそれに対応するＰＲＡＣＨリソースを指示する。
【０１４３】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示された複数のＣＥ ＬＥＶＥＬに前記ＭＴＣ ＵＥのＣＥ ＬＥＶＥＬが含まれず、かつ、前記ＭＴＣ ＵＥのＣＥ ＬＥＶＥＬのカバレッジ利得がネットワーク側により指示されたすべてのＣＥ ＬＥＶＥＬより小さい場合、前記ＭＴＣ ＵＥのＣＥ ＬＥＶＥＬを選択する。また、競合ランダムアクセスリソースによりメカニズムを選択し、前記ＭＴＣ ＵＥのＣＥ ＬＥＶＥＬに対応するＰＲＡＣＨリソースを確定する。
【０１４４】
好ましくは、前記指示情報は、複数のＣＥ ＬＥＶＥＬ及びそれに対応するＰＲＡＣＨリソースを指示する。
【０１４５】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示された複数のＣＥ ＬＥＶＥＬに前記ＭＴＣ ＵＥのＣＥ ＬＥＶＥＬが含まれず、かつ前記ＭＴＣ ＵＥのＣＥ ＬＥＶＥＬのカバレッジ利得がネットワーク側により指示された全部のＣＥ ＬＥＶＥＬより大きい場合、ネットワーク側により指示された複数のＣＥ ＬＥＶＥＬからＣＥ ＬＥＶＥＬ１つを選択する。また、選択されたＣＥ ＬＥＶＥＬにより、ネットワーク側により指示された前記ＣＥ ＬＥＶＥＬに対応するＰＲＡＣＨリソースを確定する。
【０１４６】
好ましくは、前記指示情報は、１つのＣＥ ＬＥＶＥＬ及びそれに対応するＰＲＡＣＨリソースを指示する。
【０１４７】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示された１つのＣＥ ＬＥＶＥＬが前記ＭＴＣ ＵＥのＣＥ ＬＥＶＥＬではない場合、ネットワーク側により指示されたＣＥ ＬＥＶＥＬを選択する。また、選択されたＣＥ ＬＥＶＥＬにより、ネットワーク側により指示された前記ＣＥ ＬＥＶＥＬに対応するＰＲＡＣＨリソースを確定する。
【０１４８】
好ましくは、前記指示情報は、１つのＣＥ ＬＥＶＥＬ及びそれに対応するＰＲＡＣＨリソースを指示する。
【０１４９】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、
ネットワーク側により指示された１つのＣＥ ＬＥＶＥＬが前記ＭＴＣ ＵＥのＣＥ ＬＥＶＥＬではない、かつ、前記ＭＴＣ ＵＥのＣＥ ＬＥＶＥＬのカバレッジ利得がネットワーク側により指示されたＣＥ ＬＥＶＥＬより大きい場合、ネットワーク側により指示されたＣＥ ＬＥＶＥＬを選択する。また、選択されたＣＥ ＬＥＶＥＬにより、ネットワーク側により指示された前記ＣＥ ＬＥＶＥＬに対応するＰＲＡＣＨリソースを確定する。
【０１５０】
好ましくは、前記指示情報は、１つのＣＥ ＬＥＶＥＬ及びそれに対応するＰＲＡＣＨリソースを指示する。
【０１５１】
前記選択ユニットは、前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定することは、ネットワーク側により指示された１つのＣＥ ＬＥＶＥＬが前記ＭＴＣ ＵＥのＣＥ ＬＥＶＥＬではなく、かつ前記ＭＴＣ ＵＥのＣＥ ＬＥＶＥＬのカバレッジ利得がネットワーク側により指示されたＣＥ ＬＥＶＥＬより小さい場合、前記ＭＴＣ ＵＥのＣＥ ＬＥＶＥＬを選択する。また、競合ランダムアクセスリソースによりメカニズムを選択し、前記ＭＴＣ ＵＥのＣＥ ＬＥＶＥＬに対応するＰＲＡＣＨリソースを確定する。
【０１５２】
好ましくは、ランダムアクセスユニットは、選択されたＣＥ ＬＥＶＥＬに対応するＰＲＡＣＨリソースにおいて、ランダムアクセスが失敗する場合、カバレッジ利得が１レベル高いＣＥ ＬＥＶＥＬに自ら遷移する。
【０１５３】
遷移されたＣＥ ＬＥＶＥＬがネットワーク側により指示されたＣＥ ＬＥＶＥＬに含まれると確定した場合、遷移されたＣＥ ＬＥＶＥＬにより、ネットワーク側により指示された前記ＣＥ ＬＥＶＥＬに対応するＰＲＡＣＨリソースを確定し、前記ＰＲＡＣＨリソースにおいて非競合ランダムアクセスを開始させ、さもなければ、競合ランダムアクセスリソース選択メカニズムにより、ＰＲＡＣＨリソースを選択して、競合ランダムアクセスを開始させる。
【０１５４】
好ましくは、前記指示情報は、以下いずれの方式でそれぞれのＣＥ ＬＥＶＥＬ及びそれに対応するＰＲＡＣＨリソースを指示する
*それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示する。
【０１５５】
*それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものである。
【０１５６】
*それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【０１５７】
本発明に係る実施例が提供するＭＴＣ ＵＥは、図６に示すように、プロセッサ６００と、送受信機６１０と、メモリ６２０とを備える。
【０１５８】
前記プロセッサ６００は、メモリ６２０に格納さらたプログラムを読み出して、送受信機６１０により、ネットワーク側により送信された指示情報を受信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。前記ＭＴＣ ＵＥのＣＥ ＬＥＶＥＬ及びネットワーク側により指示されたＣＥ ＬＥＶＥＬから、１つのＣＥ ＬＥＶＥＬを選択し、前記ＣＥ ＬＥＶＥＬに対応するＰＲＡＣＨリソースを確定し、選択されたＣＥ ＬＥＶＥＬに対応するＰＲＡＣＨリソースにおいて送受信機６１０により、ランダムアクセスを行う。
【０１５９】
前記送受信機６１０は、プロセッサ６００の制御により、データを送受信する。
【０１６０】
図６において、バスアーキテクチャは、いずれ数の相互接続するバス及びブリッジを備える。具体的に、プロセッサ６００が代テーブルとなる１つまたは複数のプロセッサ及びメモリ６２０が代テーブルとなるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１６１】
プロセッサ６００は、バズアーキテクチャ及び通常の処理を監視し、メモリ６２０は、プロセッサ６００が動作する際に利用するデータを記憶することができる。
【０１６２】
本発明が提供するトリガーＭＴＣ ＵＥランダムアクセスのためのネットワーク側装置は、図７に示すように、ＭＴＣ ＵＥに指示情報を送信し、前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する指示ユニット７０１と、ＭＴＣ ＵＥにより、選択されたＣＥ ＬＥＶＥＬに対応するＰＲＡＣＨリソースにおいて開始されたランダムアクセスを受信する受信ユニット７０２とを備える。
【０１６３】
好ましくは、前記指示ユニットが指示した指示情報は、プロトコルにより約定されたそれぞれのＣＥ ＬＥＶＥＬ及びそれに対応するＰＲＡＣＨリソースを指示し、または、
前記指示ユニットが指示した指示情報は、プロトコルにより約定された複数のＣＥ ＬＥＶＥＬ及びそれに対応するＰＲＡＣＨリソースを指示し、または、
前記指示ユニットが指示した指示情報は、プロトコルにより約定された１つのＣＥ ＬＥＶＥＬ及びそれに対応するＰＲＡＣＨリソースを指示する。
【０１６４】
好ましくは、前記指示ユニットは、以下いずれの方式でそれぞれのＣＥ ＬＥＶＥＬ及びそれに対応するＰＲＡＣＨリソースを指示する。
【０１６５】
*  それぞれのＣＥ ＬＥＶＥＬのインデックス及びそれに対応するプリアンブルインデックス（ｐｒｅａｍｂｌｅ Ｉｎｄｅｘ）及びＰＲＡＣＨ Ｍａｓｋインデックス（ＰＲＡＣＨ Ｍａｓｋ Ｉｎｄｅｘ）を指示する。
【０１６６】
*  それぞれのＣＥ ＬＥＶＥＬ及びそれに対応するＰＲＡＣＨリソースの組み合わせの組み合わせインデックスを指示し、ここで、それぞれのＣＥ ＬＥＶＥＬ及びそれに対応するＰＲＡＣＨリソースの組み合わせはプリセットされたものであるかまたはプロトコルにより約定されたものであり、また、それぞれの組み合わせに対応する組み合わせインデックスはプリセットされたものであるかまたはプロトコルにより約定されたものである。
【０１６７】
*  それぞれのＣＥ ＬＥＶＥＬのインデックス及びそれに対応するＰＲＡＣＨ Ｍａｓｋ Ｉｎｄｅｘを指示し、それぞれのＣＥ ＬＥＶＥＬに対応するｐｒｅａｍｂｌｅ Ｉｎｄｅｘはプリセットされたものである。
【０１６８】
本発明に係る実施例はに係る強化型基地局は、図８に示すように、プロセッサ８００と、送受信機８１０と、メモリ８２０とを備える。
【０１６９】
前記プロセッサ８００は、メモリ８２０に格納したプログラムを読み出して、送受信機８１０により、ＭＴＣ ＵＥに指示情報を送信する。前記指示情報は、少なくとも１つのカバレッジ・エンハンスト・レベル（ＣＥ ＬＥＶＥＬ）及び対応の物理ランダムアクセスチャネル（ＰＲＡＣＨ）リソースを指示する。送受信機８１０により、ＭＴＣ ＵＥにより、選択されたＣＥ ＬＥＶＥＬに対応するＰＲＡＣＨリソースにおいて開始されたランダムアクセスを受信する。
【０１７０】
前記送受信機８１０は、プロセッサ８００の制御によりデータを送受信する。
【０１７１】
図８において、バスアーキテクチャは、いずれ数の相互接続するバス及びブリッジを備える。具体的に、プロセッサ８００が代テーブルとなる１つまたは複数のプロセッサ及びメモリ８２０が代テーブルとなるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８１０は、複数の部品であることができ、即ち、送信機及び受信機を備え、伝送媒体を介して他の装置と通信するユニットを提供する。プロセッサ８００は、バズアーキテクチャ及び通常の処理を監視し、メモリ８２０は、プロセッサ８００が動作する際に利用するデータを記憶することができる。
【０１７２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１７３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１７４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１７５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１７６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１７７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【０１７８】
本出願は、２０１５年８月１４日に中国特許局に提出し、出願番号が２０１５１０５０２９６１.７であり、発明名称が「ＭＴＣ ＵＥランダムアクセス方法及び装置」との中国特許出願を基礎とする優先権を主張し、その開示の総てをここに取り込む。
【図１】
0006609037.tif 000006
【図２】
0006609037.tif 000007
【図３】
0006609037.tif 000008
【図４】
0006609037.tif 000009
【図５】
0006609037.tif 000010
【図６】
0006609037.tif 000011
【図７】
0006609037.tif 000012
【図８】
0006609037.tif 000013